(57)【特許請求の範囲】
【請求項１】
各種設定スイッチを有する装置のテストにおける動作条件設定方法において、
前記設定スイッチのそれぞれに、予め動作条件を割りつけ、
テスト実行時に、いずれの設定スイッチがオンとなっているかを判別し、
前記判別の結果オンとなっている設定スイッチに対応する動作条件に前記装置を設定し、
テストを実行することを特徴とする、動作条件設定方法。
【請求項２】
各種動作条件が設定される装置において、
動作条件が予め割りつけられる設定スイッチと、
外部記憶媒体に記憶された内容を読み取り可能な手段と、
前記外部記憶装置の有無を判別する手段と、
前記外部記憶媒体がある場合には、前記外部記憶媒体から読み取られた記憶内容に従って、前記設定スイッチに動作条件を割りつけるとともに、外部記憶媒体がない場合には、オンとなっている設定スイッチに予め割りつけられた動作条件を設定する手段と、を備えたことを特徴とする、動作条件設定可能な装置。
【発明の詳細な説明】
【０００１】
【発明の属する技術分野】
本発明は、データ伝送装置などの評価時の試験方法に関する。また、本発明とデータ伝送装置などのように、各種動作条件を誤りなく、簡易に設定できる動作条件設定方法に関する。また、本発明はこのような動作条件を設定可能な装置に関する。
【０００２】
【従来の技術】
各種の設定スイッチがある装置においては、装置の出荷評価時にそれらの設定スイッチがショートしているか否かを確認しなければならない。
【０００３】
装置の例として、データ伝送装置においては、設定スイッチ、フロントパネルスイッチなどのショート確認などの作業を行う際には、スイッチに一つずつテスターを当てながら作業を行っていた。また、装置の評価段階での各種動作条件の設定（タイミング設定、速度設定等）に関しては、設定スイッチをその都度マニュアルで設定していた。
【０００４】
【発明が解決しようとする課題】
このように、従来はテストなどの作業を全てマニュアルで行っていたため、作業に非常に時間がかかるという問題が生じていた。また、各種動作条件の設定についてもマニュアルで設定をしていたため、誤設定の原因にもなっていた。
【０００５】
特にデータ伝送装置では各種のデータ伝送速度を提供しているが、装置の評価を行うためには各々の伝送速度で対向試験を実施しなければならない。その際に、各種の設定が色々とあるため、これらが誤設定の大きな要因となっている。
【０００６】
本発明は、このような課題を解決するためになされたものであり、作業の長時間化や誤設定を防止したテストモードにおける各種評価機能を提供することを目的とする。
【０００７】
【課題を解決するための手段】
本発明は、設定スイッチのそれぞれに予め動作条件を割りつけ、テスト時にいずれの設定スイッチがオンとなっているかを判別し、判別の結果オンとなっている設定スイッチに対応する動作条件を、装置に設定することを特徴とする。
また、本発明は、動作条件が予め割りつけられる設定スイッチを備えるとともに、外部媒体の有無を判別し、外部記憶媒体がある場合には、外部記憶媒体から読み取られた動作条件を設定スイッチに割りつけるとともに、外部媒体がない場合には、利用者によりオンとされた設定スイッチに予め設定された動作条件を装置に設定することを特徴とする。
【０００８】
特に、通知の方法としては表示手段（ＬＥＤ等）を利用し、読み取られた設定状態が予め決められた設定状態と一致する場合には、表示手段を消灯することで利用者に試験結果を通知している。
【０００９】
また、本発明は、設定スイッチのそれぞれに予め動作条件を割りつけ、テスト時にいずれの設定スイッチがオンとなっているかを判別し、判別の結果オンとなっている設定スイッチに対応する動作条件を、装置に設定することを特徴とする。
【００１０】
また、本発明は、動作条件が予め割りつけられる設定スイッチを備えるとともに、外部記憶媒体から設定動作条件が読み込まれた場合には、その内容に従って設定スイッチに動作条件を割りつけることを特徴とする。これによって、動作条件の設定を容易に、誤り無く行うことが可能となる。
【００１１】
また、本発明は、動作条件が予め割りつけられる設定スイッチを備えるとともに、外部媒体の有無を判別し、外部記憶媒体がある場合には、外部記憶媒体から読み取られた動作条件を設定スイッチに割りつけるとともに、外部媒体がない場合には、利用者によりオンとされた設定スイッチに予め設定された動作条件を装置に設定することを特徴とする。
【００１２】
【発明の実施の形態】
図１は、本発明の一実施形態によるデータ伝送装置の内部構成を示す図面である。図示右側は通信回線側を、図示左側はデータ端末側をそれぞれ示している。ＤＴＥポートから入力した送信データ（ＳＤ）は、レシーバを介してＤＴＥ制御部に送られる。そして、ＳＤは変調部にて変調された後、ループ回路−アナログラインインタフェースを介して回線へ送出される。一方、回線から受信した信号は、アナログラインインタフェース−ループ回路を介して復調部に入り、復調される。そして、受信データ（ＲＤ）はＤＴＥ制御部を介してドライバからＤＴＥポートを介してデータ端末に送出される。
【００１３】
ＤＴＥ制御部、変調／復調部は、装置制御部により制御される。また、装置の動作条件を設定するためのハードウェア設定端子が設けられ、更に装置／表示部が設けられる。
【００１４】
図２は、データ伝送装置のフロントパネルスイッチの一例を示す図面である。図に図示されるように、フロントパネルには電源スイッチと、各種のスイッチ（図示の例では８個）が設けられている。このうち、ＬＰ１〜ＬＰ６は折り返しテストを指示するためのスイッチである。
【００１５】
また、図３は動作条件を設定するための設定スイッチで設定される機能の例を示した図面である。設定スイッチ部（１）では図示ＡＸ〜ＭＯＤ０が、設定スイッチ部（２）では図示ＯＰＴ〜ＲＬが、設定スイッチ部（３）ではＬＩＮ〜ＣＤが設定される。希望する動作条件を設定するためには、図３に図示された設定スイッチが利用される。
【００１６】
本実施形態では、これらのスイッチ類の配線がショートしているか否かを確認するための機能が、テストモードとして提供されている。
【００１７】
図４は、図３に図示された設定スイッチ部の設定の一例を示す図面である。図４では、設定スイッチ部（１）〜（３）が、オン／オフが交互となるように設定されている。装置制御部は図３、図４に図示されたスイッチの状態を読み込むが、スイッチが正常に配線されている場合には、装置制御部は図４に図示される状態のビット列を正常に読み込むことができる。
【００１８】
一方、図４に図示されたように設定された状態で、装置制御部が図４に図示される状態以外のビット列を読み込んだ場合、スイッチの配線がショートしていることが予想される。
【００１９】
パネルスイッチについても、図５に図示される通り、８つのスイッチを交互にオン／オフ設定し、これを装置制御部で読み込むようにしている。
【００２０】
本実施形態によるデータ伝送装置では、テスト結果を外部に通知するための手段としてテストＬＥＤを割り当てて、テストモード移行後に設定スイッチ／フロントパネルスイッチを交互にオン／オフ設定し、設定通りに読み込めた場合にはテストＬＥＤを消灯させるようにしている。
【００２１】
装置制御部で読み込んだデータが、当該設定状態に対応していなければ、テストＬＥＤが点灯したままとなり、その場合には配線がショートしていることを利用者に通知することができる。
【００２２】
図６は、テストモード時の処理を示すフローチャートである。
【００２３】
テストモードが開始すると、テストＬＥＤが点灯する。この後、ＣＬＲ（クリア）スイッチが押下されたか否かが判別される。ＣＬＲスイッチが押下されている場合には、イニシャルチェックが実行された後、装置が定常状態に移行する。一方、ＣＬＲスイッチが押下された場合には、再度ＣＬＲスイッチが押下されたか否かが判別される。ＣＬＲスイッチが押下されない場合には、装置は定常状態に移行する。
【００２４】
また、ＣＬＲスイッチが押下された場合、１秒間待った後、５秒間が経過したか否かが判別される。その状態でＣＬＲスイッチが押下されていた場合（ＣＬＲスイッチが５秒間継続して押下されている状態）には、テストモードに移行する。一方、５秒間が経過した後にＣＬＲスイッチが押下されていなかった場合には、装置は定常状態に移行する。
【００２５】
テストモードが開始すると、２００ミリ秒経過後、テストＬＥＤが点灯する。そして、設定スイッチ（スイッチ（１）〜（３）のいずれも）の状態が「１０１０１０１０」、つまりオン／オフが交互に設定された状態であるか否かが判別される。設定スイッチの状態が上記の通りである場合、テストＬＥＤを消灯する。続いて、設定スイッチの操作に応じて設定スイッチの状態が「０１０１０１０１」となったか否かが判別される。設定スイッチがこの状態である場合には、テストＬＥＤが消灯するが、これ以外の状態である場合には、テストＬＥＤは点灯したままとなる。
【００２６】
一方、設定スイッチが「１０１０１０１０」ではない場合には、２００ミリ秒経過のちテストＬＥＤを消灯する。そして、フロントパネルスイッチの設定状態を確認する。フロントパネルスイッチの状態が「０１０１１００１」である場合には、テストＬＥＤは消灯され、続いてフロントパネルスイッチがオペレータの設定のよって「１０１００１１０」となったか否かが判別される。フロントパネルスイッチがこの状態となった場合には、テストＬＥＤは消灯するが、これ以外の状態である場合にはテストＬＥＤは点灯する。
【００２７】
このようにして、結線のショートチェックが行われる。
【００２８】
なお、図７は結線ショートチェックの手順を示す図面である。
【００２９】
また、テストモード時には、図８のようにフロントパネルスイッチの各スイッチに動作条件を割りつけることによって、対向試験時の設定を容易に行うことが可能となる。
【００３０】
図８のように動作条件を各スイッチに割りつけると、テストモード時には装置制御部がＬＰスイッチの状態を監視し、ＬＰスイッチがオンに設定されると当該スイッチに割りつけられた動作条件をハードウェア（図１に図示されたＤＴＥ制御部、変調／復調部）に設定する。
【００３１】
例えば自局でＬＰ１スイッチをオンとした場合、相手局ではＬＰ２を設定することで、データ伝送装置の対向試験が可能となる。
【００３２】
テストモードの場合、装置の状態が正常か否かは、データ伝送装置にＤＴＥに相当するテスタを接続してテストパターンを送出し、ビットエラーが発生するか否かを判断することで行うことができる。また、自局／相手局の双方でＥＲＲＣＨＫ（エラーチェック）スイッチをオンにして、データ伝送装置自身からテストパターンを送出して、ビットエラーの状況を確認する。
【００３３】
図９は、上記した対向試験時の処理手順を説明するフローチャートである。
【００３４】
テストモードが開始するまでは図６と同様なので、説明を省略する。テストモードが開始すると、何れかのＬＰスイッチがオンとなっているか否かが判別される。いずれのＬＰスイッチもオンとなっていない場合には、処理を終了する。
【００３５】
一方、ＬＰスイッチがオンとなっている場合には、どのＬＰスイッチがオンとなっているのかを判別する。そして、図８に示されたように、オンとなったＬＰスイッチに応じて対応する設定を行う。なお、ＬＰ１〜ＬＰ６のいずれもがオンとなっていなかった場合には（やフロントパネルの他スイッチがオンとなっているような場合）、標準設定がセットされる。また、対向試験後ＬＰスイッチがオフとなった場合にも、標準設定がセットされる。
【００３６】
図１０は、データ伝送装置に装置制御部で制御可能な外部Ｉ／Ｏ装置を追加し、フロントパネルスイッチに割りつける動作条件を外部Ｉ／Ｏ媒体により割りつける例を示す図面である。
【００３７】
この場合には、例えば外部Ｉ／Ｏ媒体に「ｔｅｓｔＳＷ．ｄａｔ」といった予め決められたファイルを作成しておき（図１１図示）、当該ファイル内に動作条件を指定しておくようにする。
【００３８】
当該ファイルは、ＬＰスイッチ番号および設定スイッチ部（１）、設定スイッチ部（２）、設定スイッチ部（３）の各エントリで構成される。設定スイッチ（１）〜（３）は図３に図示された各設定に対応し、ビット列でエントリしておくようにする。
【００３９】
図１２は、外部Ｉ／Ｏ媒体を用いた動作条件設定に関する処理を説明するフローチャートである。テストモードに移行すると、装置制御部は外部Ｉ／Ｏ媒体があるか否かが判別される。外部Ｉ／Ｏ媒体がある場合には、その内部に設定されたファイル「ｔｅｓｔＳＷ．ｄａｔ」を開き、ファイルが正常に読み出された場合にはその内容に従って設定されるべきＬＰスイッチを認識する。そして、オンとされるＬＰスイッチに対応するレコードを読み出し、動作条件をセットしていく。
【００４０】
一方、ファイルを正常に開くことができなかった場合には、その事実を利用者に伝えるためにテストＬＥＤが５秒間点滅する。
【００４１】
図１３は、ＬＰスイッチに予め動作条件を割り当てておき、テストモードに移行後ＬＰスイッチがオンに設定された時に、外部Ｉ／Ｏ媒体に当該ＬＰスイッチに対応する動作条件が指定されていない場合には予め割り当てられた動作条件を設定する処理を説明するためのフローチャートである。
【００４２】
図１３に図示されるように、テストモードに移行後外部Ｉ／Ｏ媒体の有無が判別される。外部Ｉ／Ｏ媒体がある場合には、図１２と同様の処理が実行される。一方、外部Ｉ／Ｏ媒体がない場合には、図示「ＣＡＬＬ  ＬＯＯＰ−ＳＷ」が実行される。これは、図１４に図示された処理であり、図９に図示されたテストモード時の動作と同様なものである。
【００４３】
このように、本実施形態によれば、テストモードによって増大化する評価のための工数削減を行うことが可能となる。また、動作条件の設定が非常に容易となるため、誤設定の防止も可能となる。
【図面の簡単な説明】
【図１】  本発明の一実施形態によるデータ伝送装置の構成を示す図。
【図２】  データ伝送装置のフロントパネルスイッチの一例を示す図。
【図３】  設定スイッチを説明する図。
【図４】  本発明の一実施形態による結線チェック時の設定スイッチの状態を説明する図。
【図５】  本発明の一実施形態による結線チェック時のフロントパネルスイッチの状態を説明する図。
【図６】  結線ショートチェックのフローチャート。
【図７】  結線ショートチェックの手順を示す図。
【図８】  フロントパネルスイッチに割りつけられた動作条件の例を示す図。
【図９】  対向試験の処理を示すフローチャート。
【図１０】外部記憶媒体が挿入されるデータ伝送装置の構成を示す図。
【図１１】外部記憶媒体に設定されたファイルの構成を示す図。
【図１２】外部記憶媒体による動作条件の設定処理を示すフローチャート。
【図１３】外部記憶媒体による動作条件の設定のその他の処理を示すフローチャート。
【図１４】外部記憶媒体による動作条件の設定のその他の処理を示すフローチャートで、図１３の続きとなる図。
【図１】
0003654104.tif 000002
【図２】
0003654104.tif 000003
【図３】
0003654104.tif 000004
【図４】
0003654104.tif 000005
【図５】
0003654104.tif 000006
【図６】
0003654104.tif 000007
【図７】
0003654104.tif 000008
【図８】
0003654104.tif 000009
【図９】
0003654104.tif 000010
【図１０】
0003654104.tif 000011
【図１１】
0003654104.tif 000012
【図１２】
0003654104.tif 000013
【図１３】
0003654104.tif 000014
【図１４】
0003654104.tif 000015